(57)【要約】【課題】本発明は、比較的簡単な構成の採択で、製造及び組み立てが容易で、枠部材が観察蓋から簡単に分離することを防ぐことによって、製品の信頼性を高めることができるようにした食品容器観察蓋の枠部材結合構造を提供する。【解決手段】本発明による食品容器観察蓋の枠部材結合構造において、表面周縁に沿って一定深さの結合スロットが形成され、結合スロットの上部領域から外側に向かって一定長さで突出する係止鍔が形成された観察蓋と膜ヒンジで連結されたロック羽が複数形成され、膜ヒンジから上側に向かう一定高さで形成された外壁の内壁に係止段が形成された枠部材と、を備え、係止鍔は、係止段の上側に係止されることを特徴とする。これにより、比較的簡単な構成の採択で、製造及び組み立てが容易なメリットと共に、枠部材が観察蓋用意に分離されることを防ぐことで製品の信頼性を高める効果がある。【選択図】図１
2014510682.tif 000002
【特許請求の範囲】
【請求項１】
食品容器観察蓋の枠部材結合構造において、
表面周縁に沿って一定深さの結合スロット１１が形成され、前記結合スロット１１の上部領域から外側に向かって一定長さに突出する係止鍔１２が形成された観察蓋１０と、
膜ヒンジ２１で連結されたロック羽２２が複数形成され、前記膜ヒンジ２１から上側に向かう一定高さで形成された外壁２３の内壁２４に係止段２５が形成された枠部材２０と、を備え、
前記係止鍔１２は、前記係止段２５の上側に係止されることを特徴とする、食品容器観察蓋の枠部材結合構造。
【請求項２】
前記係止段２５は、前記外壁２３の内壁２４に、前記内壁２４の周方向に沿って一定間隔を置いて複数形成されることを特徴とする、請求項１に記載の食品容器観察蓋の枠部材結合構造。
【請求項３】
前記外壁２３は、前記外壁２３から一側に向かって下向きに突出する結合部２６をさらに備え、
前記結合部２６は、前記結合スロット１１に結合されることを特徴とする、請求項１に記載の食品容器観察蓋の枠部材結合構造。
【請求項４】
前記結合部２６は、前記外壁２３の周方向に沿って一定間隔を置いて複数形成されることを特徴とする、請求項１に記載の食品容器観察蓋の枠部材結合構造。
【請求項５】
食品容器観察蓋の枠部材結合構造において、
表面周縁に沿って一定深さの結合スロット１１が形成され、前記結合スロット１１の上部領域から外側に向かって突出下向き折り曲げられた折曲部３０が形成される観察蓋１０と、
膜ヒンジ２１で連結されたロック羽２２が複数形成され、前記膜ヒンジ２１から上側に向かう一定高さの外壁２３から一側に向かって突出した結合部２６を有し、前記外壁２３の下端部に係止段４０が形成される枠部材２０と、を備え、
前記結合部２６は、前記結合スロット１１に結合され、
前記折曲部３０の下端部は、前記係止段４０に係止されることを特徴とする、食品容器観察蓋の枠部材結合構造。
【発明の詳細な説明】
【技術分野】
【０００１】
本発明は、食品容器観察蓋の枠部材結合構造に関し、より詳細には、種々の食品を保管する食品容器の開口に設けられ開口を開閉する蓋において、観察蓋の周り方向に沿った外周縁に膜ヒンジで連結された少なくとも複数以上のロック羽が形成された枠部材を簡単かつ堅固に結合できるようにした食品容器観察蓋の枠部材結合構造に関するものである。
【背景技術】
【０００２】
一般に、食品容器の蓋には、蓋の前後側または両側を含んだ所に膜ヒンジが形成されたロック羽が形成されており、ロック羽を食品容器の外壁に形成された係止段に係止させる構造を有する食品容器蓋がある、また観察蓋にロック羽が形成された枠部材を結合させてロック羽を食品容器の外壁に形成された係止段に係止させる構造の食品容器蓋がある。
【０００３】
蓋とロック羽が一体形成された蓋は、軟質の合成樹脂として一体に形成されるが、枠部材と観察蓋とが結合した蓋は、観察蓋が透明に形成されることによって食品容器内部を観察できるだけでなく枠部材と観察蓋とのカラーを異なるようにしてツートン効果を与えて、食品容器のデザインを向上させることができる。
【０００４】
一方、本出願人が先出願して登録した韓国登録実用新案第０３３１１７号「二重蓋を有する密閉容器」は、通常の容器本体と、容器本体の開口を遮断する蓋を有し、容器本体と蓋のうち一側にはロック羽が形成され、他側にはロック羽がロック結合されるロック片が形成された密閉容器において、蓋は、容器本体の開口縁部に沿って形成されて容器本体の縁部を収容する枠形状の収容部を有し、その中央領域が開口された軟質の観察蓋と；観察蓋の開口に配置される板状の蓋板と、蓋板の縁部から延長及び折り曲げられて収容部に収容結合され所定間隔を置いて結合部から上向き突出した複数の結合突起が形成された結合部を含む観察蓋を含む構成である。そして、結合部は、結合突起に対応する収容部の領域に結合突起が結合し、収容部を貫く複数の結合孔が形成され、容器本体の開口縁部を収容する下向き開口されたチャネル形状の結合スロットが形成され、結合スロットは、観察蓋の収容部に受容されて結合する構成を取る。
【０００５】
しかし、前述のような従来の二重蓋を有する密閉容器の蓋は、その構造的な問題から製造し難い問題があり、特に観察蓋の収容部が観察蓋の結合部に挿入されているため、観察蓋から枠部材が物理的な小さい力でも簡単に分離する問題もある。
【先行技術文献】
【特許文献】
【０００６】
【特許文献１】韓国登録実用新案第０３３１１７号公報
【発明の概要】
【発明が解決しようとする課題】
【０００７】
本発明は、前述のような従来の問題点を解決するために案出したもので、本発明の目的は、比較的簡単な構成の採択で、製造及び組み立てが容易で、枠部材が観察蓋から簡単に分離することを防ぐことによって、製品の信頼性を高めることができるようにした食品容器蓋の枠部材結合構造を提供するである。
【課題を解決するための手段】
【０００８】
前述の目的は、本発明により、表面周縁に沿って一定深さの結合スロットが形成され、結合スロットの上部領域から外側に向かって一定長さに突出する係止鍔が形成された観察蓋と、膜ヒンジで連結されたロック羽が複数形成され、膜ヒンジから上側に向かう一定高さで形成された外壁の内壁に係止段が形成された枠部材と、を備え、係止鍔は、係止段の上側に係止されることを特徴とする食品容器蓋の枠部材結合構造によって達成される。
【０００９】
ここで、好ましくは、係止段は、外壁の内壁で内壁の周方向に沿って一定間隔を置いて少なくとも複数形成される。
【００１０】
そして、外壁には外壁から一側に向かって下向きに突出する結合部をさらに備えて、結合部は、結合スロットに結合されるのが効果的である。
【００１１】
本発明に係る結合部は、外壁の周り方向に沿って一定間隔を置いて複数形成されることが好ましい。
【００１２】
一方、本発明は、食品容器蓋の枠部材結合構造において、表面周縁に沿って一定深さの結合スロットが形成され、前記結合スロットの上部領域で外側に向かって突出下向き折り曲げられた折曲部が形成される観察蓋と、膜ヒンジで連結されたロック羽が複数形成され、膜ヒンジから上側に向かう一定高さの外壁から一側に向かって突出した結合部を有し、外壁の下端部に係止段が形成された枠部材を備えて、結合部は、結合スロットに結合され、折曲部の下端部は、係止段に係止されることを特徴とする食品容器蓋の枠部材結合構造によっても達成される。
【発明の効果】
【００１３】
以上のような本発明によると、比較的簡単な構成の採択で製造及び組み立てが容易なメリットと共に、枠部材が観察蓋から簡単に分離することを防ぐことによって製品の信頼性を高めることができる効果がある。
【図面の簡単な説明】
【００１４】
【図１】本発明に係る観察蓋と枠部材を分離させた分離斜視図である。
【図２】図１に係る観察蓋と枠部材を分離させた状態の要部抜粋拡大断面図である。
【図３】本発明の他の実施形態に係る観察蓋と枠部材を分離させた状態の要部抜粋拡大断面図である。
【図４】図２に係る観察蓋と枠部材を結合させた状態の断面図である。
【図５】本発明に係る他の実施形態を示した断面図である。
【発明を実施するための形態】
【００１５】
以下、添付図面を参照して本考案について詳細に説明する。
【００１６】
図１は本発明に係る観察蓋と枠部材を分離させた分離斜視図であり、図２は図１による観察蓋と枠部材を分離させた状態の要部抜粋拡大断面図であり、図４は図２による観察蓋と枠部材を結合させた状態の断面図である。
【００１７】
これらの図面から分かるように、本発明に係る食品容器観察蓋の枠部材結合構造は、食品容器内部を観察できるように透明材質で形成された観察蓋１０と、観察蓋１０の上部に結着される枠部材２０とを備えている。ここで、枠部材２０には、観察蓋１０とは異なる材質または異なるカラーが用いられてもよく、その形状は変化しえる。
【００１８】
本発明に係る観察蓋１０には、表面周縁に沿って一定深さの結合スロット１１が形成され、結合スロット１１の上部領域で外側に向かう方向には一定長さに突出した係止鍔１２が形成され、係止鍔１２の端部には、湾曲または傾斜が設けられることで、以下で説明される係止段２５を簡単に越えて組み立てされるようにしている。
【００１９】
本発明に係る枠部材２０には、膜ヒンジ２１で連結されたロック羽２２が複数形成されており、膜ヒンジ２１から上側に向かう面には一定高さで外壁２３が形成され、外壁２３の内壁２４には係止段２５が形成される。ここで、係止段２５は、外壁２３の内壁２４に、内壁２４の周方向に沿って一定間隔を置いて少なくとも複数形成されてもよく、内壁２４の周方向に沿って閉ループ状で形成されてもよい。
【００２０】
ここで、観察蓋１０と枠部材２０とを互い組み立てる際には、係止鍔１２を枠部材２０の内壁２４に強制的に挿入させれば枠部材２０が合成樹脂で形成された関係で枠部材２０が広げられ、係止鍔１２が内壁２４の内側を通って、係止段２５の上側に押し寄せられて係止段２５に係止されることで、図３のように組み立てが完了する。
【００２１】
一方、本発明に係る枠部材２０の外壁２３に外壁２３から一側に向かって下向きに突出する結合部２６をさらに備えることで、結合部２６が結合スロット１１に結合されるようにした構成を採用することにより、観察蓋１０と枠部材２０を図４のようにより堅固に組み立てることができる。ここでも、結合部２６は、外壁２３の周り方向に沿って一定間隔を置いて複数形成されてもよく、外壁の周り方向に沿って閉ループ状に形成されてもよい。
【００２２】
以上のように組み立てられた本発明によると、比較的簡単な構成の採択で、製造及び組み立てが容易で、枠部材２０が観察蓋１０から簡単に分離することを防ぐことによって製品の信頼性を高めることができる。
【００２３】
一方、図５は、本発明に係る他の実施形態を示した断面図である。
【００２４】
この図面から分かるように、本発明に係る観察蓋１０には、表面周縁に沿って一定深さの結合スロット１１が形成され、結合スロット１１の上部領域で外側に向かう方向には一定長さで下向き折り曲げられた折曲部３０が形成され、枠部材２０には、膜ヒンジ２１で連結されたロック羽２２が複数形成され、膜ヒンジ２１から上側に向かって一定高さの外壁２３から一側に向かって突出する結合部２６が形成され、外壁２３の下端部に係止段４０が形成された構成を採用しているため、本実施形態においても、組み立てにおいて、結合部２６が結合スロットに結合されて折曲部３０が外壁２３の下端部に形成された係止段４０に係止されるように組み立てることができる。
【００２５】
図面中、未説明符号５０はパッキングであり、１００は食品容器内部の弱真空のための一方向弁設置部を表示しており、１０１は食品容器開口壁を表示した。
【００２６】
以上のような本発明は、比較的簡単な構成の採択で、製造及び組み立てが容易なメリットと共に、枠部材が観察蓋から簡単に分離することを防止することによって、製品の信頼性高めることができる。
【００２７】
上述したように本発明は、本明細書及び請求範囲に用いられた用語や単語は、通常的で辞典的な意味と解釈されるべきではない。発明者は、本発明を最善の方法で説明するために、用語の概念を適切に定義することができるとの原則に基づいて、本発明の技術的思想に符合する意味と概念と解釈されなければならない。
【００２８】
従って、本明細書に記載された実施形態と図面に示された構成は、本発明の好ましい一実施形態に過ぎず、本発明の技術的思想を全部代弁するものではないため、本出願時点においてこれらを代替できる種々の均等物と変形例がある可能性があることを理解しなければならない。
【符号の説明】
【００２９】
１０      観察蓋
１１      スロット
１２      係止鍔
２０      枠部材
２１      膜ヒンジ
２２      ロック羽
２３      外壁
２４      内壁
２５      係止段
２６      結合部
３０      折曲部
４０      係止段
【図１】
2014510682.tif 000003
【図２】
2014510682.tif 000004
【図３】
2014510682.tif 000005
【図４】
2014510682.tif 000006
【図５】
2014510682.tif 000007
【国際調査報告】
2014510682.tif 000008
2014510682.tif 000009